(57)【特許請求の範囲】
【請求項１】
側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の楔形剥離手段の間に、非粘着処理済みのローラの回転周面を前記同一平面に沿うように配置されたことを特徴とする粘着製品剥離装置。
【請求項２】
側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の楔形剥離手段の間に、非粘着処理済みのプレートをその１面が前記同一平面に沿うように配置されたことを特徴とする粘着製品剥離装置。
【請求項３】
側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の側断面楔形の剥離手段の前記同一平面側に開口空間を有し、この空間内に、断面に直交する回転軸を前記同一平面の方へばね機構によって弾性付勢された押さえローラを有することを特徴とする粘着製品剥離装置。
【請求項４】
側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の側断面楔形の剥離手段の前記同一平面側に開口空間を有し、この空間内に、ばね機構によって同一平面の方へ弾性付勢された押さえプレートを有することを特徴とする粘着製品剥離装置。
【請求項５】
側断面楔形の剥離手段が３個、側断面と直交する同じ側の面を同一平面に揃えて楔形先端を同じ向きにして横並び３列で、中央位置の楔形先端が両側位置の楔形先端より予め定めた寸法だけ突出した位置にある楔形構造を有し、前記突出楔形剥離手段の両側に、非粘着処理済みのローラの回転周面を前記同一平面に沿うようにして配置されたことを特徴とする粘着製品剥離装置。
【請求項６】
側断面楔形の剥離手段が３個、側断面と直交する同じ側の面を同一平面に揃えて楔形先端を同じ向きにして横並び３列で、中央位置の楔形先端が両側位置の楔形先端より予め定めた寸法だけ突出した位置にある楔形構造を有し、前記突出楔形剥離手段の両側に、非粘着処理済みのプレートがその１面を前記同一平面に沿うように配置されたことを特徴とする粘着製品剥離装置。
【請求項７】
前記ローラの回転軸を前記同一面側の方へ弾性付勢するばね機構を有することを特徴とする請求項１又は請求項５記載の粘着製品剥離装置。
【請求項８】
前記プレートを前記同一面の方へ弾性付勢するばね機構を有することを特徴とする請求項２又は請求項６記載の粘着製品剥離装置。
【請求項９】
３個の側断面楔形の剥離手段が一体形成されたことを特徴とする請求項１ないし請求項８のいずれか１項に記載の粘着製品剥離装置。
【発明の詳細な説明】
【技術分野】
【０００１】
本発明は、他の物品に貼着するためのラベルのような粘着製品が仮粘着されているテープ状のセパレータからその粘着製品を剥離するための剥離装置の技術分野に属する。
【背景技術】
【０００２】
商品その他の物品に貼着する粘着ラベル等の粘着製品８は、その貼着前は図１０の（ａ）に示すようにテープ状のセパレータ２５（台材）に所定の間隔で仮粘着され、その長尺物がロール２６に巻かれている。
【０００３】
このような、セパレータ２５上に仮粘着している粘着製品８を商品その他の貼着対象物に貼着するには図１０の（ｂ）に示すように、ロール２６から引き出したセパレータ２５を側断面が楔形の剥離手段２７に掛け渡してセパレータ２５を右斜め下向矢印の方向へ引くことにより、楔形の折り返し鋭角部分で粘着製品８が鋭角で曲れずにセパレータ２５から剥がれることを利用している。
【０００４】
こうして、セパレータ２５から剥れて左方へ移動する粘着製品８を吸着ヘッド２８で吸着して、載置台１９上に置かれた貼り付け対象物１８の上まで移動して降下し、吸着している粘着製品８を貼り付けるようにしている（例えば、特許文献１参照）。
【０００５】
しかしながら、このような剥離構造では、粘着製品８とセパレータ２５との仮粘着力が強すぎる場合には、図１０の（ｃ）に示すように、粘着製品８が、剥離手段２７の楔形先端で剥離しないで下側へ巻き込まれるという問題がある。
そこで、このような場合、セパレータ２５への粘着力を弱める構造として図１１の（ａ）のようにセパレータ２５にミシン目のような穴２９をあけて粘着面積を少なくするということも行われている。
図１１の（ｄ）は穴を三角形にした例であり、（ｅ）は丸穴とした例である。（ｂ）は（ａ）のセパレー２５がロール２６に巻かれている状態を示すものである。
【特許文献１】特開２００１−５１６０２号公報（段落［００１３］、［００１６］、図１、図４）
【発明の開示】
【発明が解決しようとする課題】
【０００６】
上記従来の技術においては、既に述べたように、粘着製品とセパレータとの粘着力が強い場合には、楔形先端で剥れずに粘着製品が巻き込まれてしまうという問題がある。
また、単に断面楔形の構造では、折り返しセパレータを巻き取りロールで引く場合に楔形先端でセパレータの幅方向に蛇行するという問題がある。蛇行が生じると吸着ヘッドで吸着される粘着製品の位置も粘着製品毎に変化し、結局、貼り付け対象物に対する貼り付け位置も変化してしまうということになる。
【０００７】
更に、セパレータに図１１に示すような穴をあけてある場合には、セパレータが蛇行することにより、先端の折り返し部分でセパレータの幅方向両側の端に交互に強い張力が作用し、図１１の（ｃ）に示すような亀裂が入り、場合によっては切断してしまうという問題がある。
【０００８】
本発明の課題は上記従来技術の問題点に鑑みて、剥離手段の、セパレータが方向反転する箇所で粘着製品を巻き込んだり、セパレータが蛇行することのない剥離手段を提供することにある。
【課題を解決するための手段】
【０００９】
本発明は上記の課題を解決するために以下の各構成を有する。
【００１０】
本発明の第１の構成は、側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の楔形剥離手段の間に、非粘着処理済みのローラの回転周面を前記同一平面に沿うように配置されたことを特徴とする粘着製品剥離装置である。
【００１１】
本発明の第２の構成は、側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の楔形剥離手段の間に、非粘着処理済みのプレートをその１面が前記同一平面に沿うように配置されたことを特徴とする粘着製品剥離装置である。
【００１２】
本発明の第３の構成は、側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の側断面楔形の剥離手段の前記同一平面側に開口空間を有し、この空間内に、断面に直交する回転軸を前記同一平面の方へばね機構によって弾性付勢された押さえローラを有することを特徴とする粘着製品剥離装置である。
【００１３】
本発明の第４の構成は、側断面楔形の剥離手段が３個、側断面と直交する同じ側の面が同一平面に揃い、楔形先端を同じ向きにして横並び３列で、中央列の楔形先端が両側列の楔形先端より予め定めた寸法だけ後退した位置にある楔形構造を有し、前記両側列の側断面楔形の剥離手段の前記同一平面側に開口空間を有し、この空間内に、ばね機構によって同一平面の方へ弾性付勢された押さえプレートを有することを特徴とする粘着製品剥離装置である。
【００１５】
本発明の第５の構成は、側断面楔形の剥離手段が３個、側断面と直交する同じ側の面を同一平面に揃えて楔形先端を同じ向きにして横並び３列で、中央位置の楔形先端が両側位置の楔形先端より予め定めた寸法だけ突出した位置にある楔形構造を有し、前記突出楔形剥離手段の両側に、非粘着処理済みのローラの回転周面を前記同一平面に沿うようにして配置されたことを特徴とする粘着製品剥離装置である。
【００１６】
本発明の第６の構成は、側断面楔形の剥離手段が３個、側断面と直交する同じ側の面を同一平面に揃えて楔形先端を同じ向きにして横並び３列で、中央位置の楔形先端が両側位置の楔形先端より予め定めた寸法だけ突出した位置にある楔形構造を有し、前記突出楔形剥離手段の両側に、非粘着処理済みのプレートがその１面を前記同一平面に沿うように配置されたことを特徴とする粘着製品剥離装置である。
【００１７】
本発明の第７の構成は、前記第１の構成又は第５の構成において、前記ローラの回転軸を前記同一面側の方へ弾性付勢するばね機構を有することを特徴とする粘着製品剥離装置である。
【００１８】
本発明の第８の構成は、前記第２の構成又は第６の構成において、前記プレートを前記同一面の方へ弾性付勢するばね機構を有することを特徴とする粘着製品剥離装置である。
【００１９】
本発明の第９の構成は、前記第１の構成ないし第８の構成のいずれか１つの構成において、３個の側断面楔形の剥離手段が一体形成されたことを特徴とする粘着製品剥離装置である。
【発明の効果】
【００２４】
第１の構成では、剥離手段の楔形先端をずらした構成であり、右側帯１２と左側帯１３が楔形先端４と６で折り返すので粘着製品８がセパレータと一緒に巻き込まれるということがなくなる。
また、セパレータ７の中央帯１１が剥離手段１と３で挟まれた楔形先端５で折り返すようになっているので、セパレータ７の中央帯１１の幅を楔形先端５の幅に合わせておくことにより、剥離手段１と３の内側側面でガイドされることになりセパレータ７が蛇行することがなくなる。また、蛇行がなくなることにより、貼り付け対象に対する粘着製品の貼り付け位置のぶれもなくなり、セパレータ７の蛇行に起因する切断もなくなるという効果がある。
【００２５】
更に、非粘着処理を施したローラを楔形先端４と同６の間に、周面が粘着製品の下面に沿うように設けているので、楔形先端４および同６で粘着製品が巻き込まれるということは生じ得なくなるという効果がある。
第２の構成は、ローラに代えてプレートを置いたもので同様の効果がある。
【００２６】
第５の構成は中央の剥離手段２が両側の剥離手段１，３よりも突出している構造である。従って粘着製品８は、両側の楔形先端位置を通過したあとは、中央帯１１だけに粘着しているだけであり、粘着力が小さくなっているので中央の楔形先端での剥離が容易となり、巻き込まれる可能性は小さくなる。
【００２７】
更に、中央の剥離手段の突出している楔形先端の両側に周面が粘着製品の下面に沿うようにローラが設けられているので、中央の楔形先端で粘着製品が巻き込まれることはない。
また、セパレータの左右両側帯の折り返し部分が突出している中央の剥離手段の側面を挟むような形になっているので、中央帯の幅を中央の剥離手段の幅に合わせておくことにより中央の剥離手段によってガイドされることになり、セパレータが蛇行することがなくなるという効果がある。また、蛇行がなくなることにより、貼り付け対象に対する粘着製品の貼り付け位置のぶれもなくなり、蛇行に起因するセパレータの切断もなくなるという効果がある。
第６の構成は、第５の構成のローラに代えてプレートを配置したもので、第５の構成と同様の効果がある。
【発明を実施するための最良の形態】
【００２８】
先端楔形の剥離手段は、先端部分が細くなっており常にセパレータの移動により摩擦が生じる部分であるから強度を有することが望まれ、その材質は金属とするのが最良である。なお、先端部分はセパレータの方向反転がスムーズに行えるよう適度な丸味を持たせた構造とするのが最良である。
【００２９】
また、中央とその左右両側の３個の剥離手段は、位置関係が固定されたものであるから一体形成するのが位置関係が安定し最良である。
中央の剥離手段の先端部分が左右両側の剥離手段より突出或いは引っ込んでいる寸法は、セパレータに仮粘着している粘着製品の半分位が最良である。
【実施例】
【００３０】
以下、本発明の粘着製品剥離装置の実施例を図面を参照して説明する。
まず、第１の構成の粘着製品剥離装置の構造を図１に示す。図１の（ａ）は、側断面楔形の剥離手段１，２，３の３個が配列された３面図であり、上右は平面図であり、上左が正面図であり、平面図の下が側面図である。
この配列は、楔形の側断面と直交する面（図では平面図で見えている面）が同一平面に揃い、楔形先端は同じ向き（図では左向き）で横並び３列になっており、中央の剥離手段２の楔形先端が両側列の剥離手段１，３の楔形先端よりも予め定めた寸法だけ後退した（引っ込んだ）位置にある。
【００３１】
（ｂ）は、ミシン目穴が２列設けられたセパレータに粘着製品が仮粘着されていることを示す図であり、図示はしていないが右方にあるロ―ルに巻かれており、稼働時にロールから引き出されるようになっている。
ミシン目穴とミシン目穴の間の狭いブリッジは、セパレータ７の中央帯１１と右側帯１２、左側帯１３を表裏反対方向に引っ張ることにより容易に切断できるものである。
（ｂ）のようなセパレータを、左先方部分のブリッジ１０を２，３箇所切断して（ａ）の剥離手段に対し、中央帯１１が楔形先端５で矢印のように折り返し、右側帯１２を楔形先端４で、左側帯１３を楔形先端６で矢印のように折り返し、図示されていないロールに巻き取ることにより矢印方向へ引っ張ると、上から見た場合（ｃ）のようになる。ブリッジ１０は中央帯１１が楔形先端５で折り返す時に次々と切断されて行く。
この粘着製品８のセパレータ７に対する仮粘着状態を（ｂ）と（ｃ）とで比較すると、（ｃ）の方が中央帯１１の部分がなくなっており粘着面積が大幅に減少しており、粘着力は低下している。
【００３２】
図２は、第１の実施例の構成および動きを示す図である。（ａ），（ｂ）は（ｃ）のＡ−Ａ断面図であり、中央の剥離手段１４の紙面手前側に、セパレータ進行方向を向いて見たときの右側の剥離手段１５と前後同じ位置で存在する左側の剥離手段を除いた側面図である。
図から分るように、中央の剥離手段１４の楔形先端がセパレータ進行方向を向いて見たときの左右両側の剥離手段の楔形先端よりも引っ込んでいる配列である。
【００３３】
（ｃ）は（ａ）の図を上から見た平面図である。
図示されていないロールから引き出されたセパレータ７の表面には、ラベルのような粘着製品８が等間隔で連続して仮粘着されている。
引き出したセパレータ７の先方部分のブリッジ１０をいくつか切断し、中央帯１１を中央の剥離手段１４の楔形先端５で折り返すように掛け渡し、右側帯１２、左側帯１３はそれぞれ右側の剥離手段１５、左側の剥離手段の楔形先端で折り返すように掛け渡す。折り返し掛け渡されたセパレータ７の各帯の先端は図示されていない各巻き取りローラに巻き付けられそのローラを回転駆動することにより、セパレータ７の各帯を引き込み巻き取るようになっている。
【００３４】
（ｂ）および（ｄ）は、このように引き込まれることによりセパレータ７および粘着製品８が図では左方へ移動した状態が示されている。左方へ移動すると、セパレータ７の中央帯１１が、まず、中央の剥離手段１４の楔形先端で反転しこのときブリッジ１０が切断されて斜め下方へ引っ張られていくので粘着製品から剥れ、次いでセパレータ７の右側帯１２と左側帯１３がそれぞれ右側の剥離手段１５と左側の剥離手段の楔形先端で反転するので粘着製品８から剥れることになる。
既に、中央帯１１が剥離されているので粘着面積は小さくなっており剥離し易くなっている。更に、左右の楔形先端の間には非粘着処理済みのローラ１６が設けられており、粘着製品８はこのローラ１６の上を通過することになるので、たとえ右側帯１２、左側帯１３の粘着製品８に対する粘着が強くとも、左右の楔形先端で下側へ巻き込まれることはなく完全に剥離される。
また、中央の剥離手段１４の楔形先端で粘着製品８から剥離した中央帯１１の幅は、左右の剥離手段の内側側壁間の寸法に合わせてあるので内側側壁がガイドとなりセパレータ７の蛇行が生じない。蛇行が生じないことにより貼り付け対象物に対する粘着製品８の貼り付け位置のぶれもなく、また蛇行に起因するセパレータの切断も生じない。
【００３５】
図２においてローラ１６の軸は固定となっているが、軸を上下方向の或る範囲で可動にしておき、この軸をばね機構で上方へ弾性付勢することにより剥離効果を向上させることが可能である。
この他、図２のローラ１６に代えて、非粘着処理を施したプレートを粘着製品８の移動平面に沿うように配置してもよい。この場合もプレートを上下方向の或る範囲で可動にしておき、ばね機構で上方へ弾性付勢することにより剥離効果が上がることはローラの場合と同様である。
【００３６】
図３は、第２の実施例の構成および動きを示す図である。（ａ）は、（ｃ）のＢ−Ｂ断面図であり、中央の剥離手段１４の紙面手前側に、右側の剥離手段１５と重なるような位置で存在する左側の剥離手段を除いた側面図である。
図２の場合とは反対にセパレータ進行方向を向いて見たときの中央の剥離手段１４の楔形先端が左右の剥離手段の楔形先端よりも突出している構成となっている。
【００３７】
（ｃ）は（ａ）の図を上から見た平面図である。
図示されていない巻き取りローラによってセパレータの各帯が巻き取られると剥離手段上面のセパレータは楔形先端の方（図では左方）へ進行する。
（ｂ）および（ｄ）はこの移動した状態を示している。
セパレータ７は進行すると、まず進行方向に向って左右の剥離手段の楔形先端で左右の側帯の進行方向が反転するように巻き込まれる一方中央帯はなお直進するので、ここでブリッジ１０が切断されることになる。左右の側帯から切り離された中央帯は、左右の楔形先端よりも突出している中央の剥離手段１４の楔形先端で方向反転する。粘着製品８の前方は、セパレータ７の中央帯のみに貼り付いた状態で前進する。
従って、セパレータ７に対する粘着力は小さくなった状態で中央の剥離手段１４の楔形先端に達し、そこで中央帯１１は方向転換するから容易に剥離する。
また、中央の剥離手段１４の楔形先端の左右両側には非粘着処理済みのローラ１６が設けられており、粘着製品のセパレータ右側帯および左側帯に粘着していた部分がローラ１６の上に掛かるので中央帯の折り返しに引かれて回り込むことはない。
【００３８】
また、ローラ１６の回転軸は上下方向の或る範囲で可動となっているので、この回転軸をばね機構１７によって上方へ弾性付勢することにより、粘着製品８のセパレータ中央帯１１からの剥離を更に容易確実にすることになる。しかし、このようなローラ１６やばね機構１７を有しない構成とすることも可能である。
【００３９】
以上、図２，図３は粘着製品のセパレータに仮粘着している面を貼り付け対象物に貼り付ける場合であるが、他の例として、セパレータに仮粘着している粘着製品の仮粘着している面と反対側の面即ち表面側を貼り付け対象に貼り付ける場合もある。
【００４０】
図４は、セパレータ７に仮粘着している粘着製品８の表面側にも粘着剤が塗布されており表面側を載置台１９上の貼り付け対象物１８に貼り付ける場合を示している。これは図２のローラ１６を除いた剥離手段を逆さにした状態である。
図４ではセパレータの中央帯１１と右側帯１２と図示されていない左側帯１３を矢印の方へ引いて行くことにより、剥離手段が右方へ移動することにより粘着製品８はセパレータ７から剥離して貼り付け対象物１８に貼り付けられることになる。
【００４１】
（ｂ），（ｃ）は移動の経過を示している。
１回の貼り付けが終った後は、剥離手段は、再び（ａ）の位置に戻り、載置台１９は紙面の手前または後方へ移動して次の貼り付け対象を剥離手段の下へ持って来る。
【００４２】
図５の（ａ）は、図４の右側の剥離手段１５の楔形先端と図示されていない左側の剥離手段の楔形先端の間にローラ１６を設けて、粘着製品８が、剥離手段の楔形先端で、セパレータに貼りついたまま方向転換しないようにしたものであり、その機能は図２の場合と同様である。その後は、貼り付け対象物１８に貼り付けた粘着製品８を貼り付け対象物１８に押し付けるようにして、剥離手段の移動とともに転動して行き貼り付けを確実にするものである。
図５の（ｂ）は、（ａ）のローラ１６に代えてプレート２０を用いたものであり、その機能、効果は（ａ）の場合と同様である。
【００４３】
図６は、図５のローラ１６およびプレート２０に対し、ばね機構によって弾性付勢したものであり、図３の場合と同様の機能を果すとともに、図５の場合と同様に粘着製品を貼り付け対象物に押し付けるようにして移動し、貼り付けを確実にする。
【００４４】
図７の（ａ）は、中央の剥離手段１４は先端楔形のものとし左右の剥離手段は、楔形先端に相当するような直径が小さく長い剥離ローラとしたものである。この剥離ローラ２１と中央の剥離手段１４との位置関係は構造的に固定されている。機能は図４の場合と同様である。
図７の（ｂ）は、（ａ）の剥離ローラ２１に代えて、剥離プレート２２とした例である。剥離ローラ２１の場合よりもセパレータ７を貼り付け対象物に押し付け粘着製品の貼り付けを一層確実にする。
【００４５】
図８は、図７の剥離ローラ２１および剥離プレート２２に対しそれぞればね機構１７により弾性付勢を行った例である。
（ａ）の場合には、セパレータの左右の側帯の折り返し位置に弾力性が生じることになるし、（ｂ）の場合には、貼り付け対象物に貼り付けた粘着製品に対する押さえが弾力的になる。
【００４６】
図９は、左右両側の楔形の剥離手段内に、空間を設け、その中にばね機構により弾性付勢された押さえローラ或いは押さえプレートを設けた例である。
（ａ）は図４の（ａ）と同じであり、押さえローラや押さえプレートを設けていない状態の構造であり、（ｂ）は右側の剥離手段１５の下面側に空間を設けて、その中にばね機構１７と押さえローラ２３を設けセパレータの右側帯を介して粘着製品を貼り付け対象に対して押さえるように付勢されている。図示されていないが、左側の剥離手段も同様の構造となっている。
（ｃ）は（ｂ）の押さえローラ２３を押さえプレート２４に代えたものである。セパレータに対する摩擦の程度はローラに較べて大きくなるが、実用上支障のない範囲であれば、ローラを設ける場合より軸受けが不要になるなど構造上の利点がある。
【図面の簡単な説明】
【００４７】
【図１】本発明における剥離手段の基本構造を示す説明図である。
【図２】本発明の第１の実施例の構成および動きを示す図である。
【図３】本発明の第２の実施例の構成および動きを示す図である。
【図４】本発明において、セパレータに仮粘着している粘着製品の表面側にも貼り付け用の粘着剤が塗布されており、この面を貼り付け対象物に貼り付ける場合の図である。
【図５】図４において左右両側の剥離手段の楔形先端の間にローラやプレートを設けた構造図である。
【図６】図５のローラやプレートに対し、ばね機構によって弾性付勢をした構造図である。
【図７】中央の剥離手段は先端楔形のものとし、左右の剥離手段は、楔形先端に相当する剥離ローラや剥離プレートとした例である。
【図８】図７の剥離ローラや剥離プレートに対し、ばね機構により弾性付勢を行った例である。
【図９】図４における左右両側の楔形剥離手段内に、ばね機構により貼り付け対象物の方へ向けて弾性付勢された押さえローラや押さえプレートを設けた例である。
【図１０】従来の粘着製品を貼り付け対象物に貼り付ける仕方を説明する図である。
【図１１】粘着力低減のために各形状の穴の列を設けたセパレータの平面図である。
【符号の説明】
【００４８】
１  剥離手段
２  剥離手段
３  剥離手段
４  楔形先端
５  楔形先端
６  楔形先端
７  セパレータ
８  粘着製品
９  ミシン目穴
１０  ブリッジ
１１  中央帯
１２  右側帯
１３  左側帯
１４  中央の剥離手段
１５  右側の剥離手段
１６  ローラ
１７  ばね機構
１８  貼り付け対象物
１９  載置台
２０  プレート
２１  剥離ローラ
２２  剥離プレート
２３  押さえローラ
２４  押さえプレート
２５  セパレータ
２６  ロール
２７  剥離手段
２８  吸着ヘッド
２９  穴
【図１】
0004876036.tif 000002
【図２】
0004876036.tif 000003
【図３】
0004876036.tif 000004
【図４】
0004876036.tif 000005
【図５】
0004876036.tif 000006
【図６】
0004876036.tif 000007
【図７】
0004876036.tif 000008
【図８】
0004876036.tif 000009
【図９】
0004876036.tif 000010
【図１０】
0004876036.tif 000011
【図１１】
0004876036.tif 000012